(57)【要約】【課題】電子新聞や電子雑誌のような複数の記事が混在して表示されるコンテンツの中から、ユーザーが関心を持っている可能性が高い分野を示す情報を抽出することのできるシステムを提供する。【解決手段】嗜好情報処理システムは、ネットワークを介してコンテンツを配信するサーバ装置と、携帯情報端末とを有し、携帯情報端末は、サーバ装置から配信されるコンテンツを表示する表示手段と、表示手段によって表示されたコンテンツ中の文字のフォントサイズが、ユーザーの操作によって、閾値以上に拡大表示された場合に、拡大表示された文字を含むコンテンツ中の所定の領域を示す情報を検出する検出手段と、領域を示す情報をサーバ装置に送信する送信手段とを備え、サーバ装置は、領域を示す情報に基づいて、コンテンツ中の領域に含まれる情報から、ユーザーの嗜好を解析する解析手段と、ユーザーの嗜好を示す情報を蓄積する蓄積手段とを備えることを特徴とする。【選択図】図２
2010237942.tif 000002
【特許請求の範囲】
【請求項１】
ネットワークを介してコンテンツを配信するサーバ装置と、前記ネットワークに接続される携帯情報端末とを有し、
前記携帯情報端末は、
前記サーバ装置から配信されるコンテンツを表示する表示手段と、前記表示手段によって表示されたコンテンツ中の文字のフォントサイズが、ユーザーの操作によって、閾値以上に拡大表示された場合に、拡大表示された前記文字を含む前記コンテンツ中の所定の領域を示す情報を検出する第１の検出手段と、前記領域を示す情報を前記サーバ装置に送信する第１の送信手段とを備え、
前記サーバ装置は、
前記領域を示す情報に基づいて、前記コンテンツ中の前記領域に含まれる情報から、前記ユーザーの嗜好を解析する解析手段と、前記ユーザーの嗜好を示す情報を蓄積する第１の蓄積手段とを備えることを特徴とする嗜好情報処理システム。
【請求項２】
前記思考情報処理システムは、さらに、ネットワークを介して人物の顔画像データを蓄積した顔データベースに接続され、
前記携帯情報端末は、
前記表示手段によって表示されたコンテンツ中の画像がユーザーの操作によって拡大表示され、拡大表示された画像の中から、前記顔データベースに蓄積されている顔画像データとの類似度が閾値以上となる顔を検出する第２の検出手段を備え、前記第２の検出手段によって検出された顔を示す情報を前記サーバ装置に送信する第２の送信手段を備え、
前記サーバ装置は、
前記顔を示す情報を蓄積する第２の蓄積手段と備えることを特徴とする請求項１に記載の嗜好情報処理システム。
【請求項３】
ネットワークを介してコンテンツを配信するサーバ装置と、前記ネットワークに接続される携帯情報端末とを有し、
前記携帯情報端末は、
前記サーバ装置から配信されるコンテンツを表示する表示手段と、前記表示手段によって表示されたコンテンツ中の文字のフォントサイズが、ユーザーの操作によって、閾値以上に拡大表示された場合に、拡大表示された前記文字を含むコンテンツ中の所定の領域を示す情報を検出する第１の検出手段と、前記第１の検出手段によって検出された前記領域を示す情報を前記サーバ装置に送信する第１の送信手段とを備え、
前記サーバ装置は、
前記領域を示す情報に基づいて、前記コンテンツ中の前記領域に含まれる情報から、前記ユーザーの嗜好を解析する解析手段と、前記解析手段によって解析された前記ユーザーの嗜好を示す情報を蓄積する第１の蓄積手段とを備えることを特徴とする嗜好情報処理システム。
【請求項４】
前記思考情報蓄積システムは、さらに、ネットワークを介して人物の顔画像データを蓄積した顔データベースに接続され、
前記携帯情報端末は、
前記表示手段によって表示されたコンテンツ中の画像が拡大表示され、拡大表示された画像の中から、前記顔データベースに蓄積されている顔画像データとの類似度が閾値以上となる顔を検出する第２の検出手段を備え、前記第２の検出手段によって検出された顔を示す情報を前記サーバ装置に送信する第２の送信手段を備え、
前記サーバ装置は、
前記顔を示す情報を蓄積する第２の蓄積手段と備えることを特徴とする請求項３に記載の嗜好情報処理システム。
【請求項５】
ネットワークを介して配信されるコンテンツを表示する表示手段と、前記表示手段によって表示されたコンテンツ中の文字のフォントサイズが閾値以上に拡大表示された場合に、拡大表示された前記文字を含むコンテンツ中の領域を示す情報を検出する第１の検出手段とを備えることを特徴とする携帯情報端末。
【請求項６】
前記携帯情報端末は、さらに、ネットワークを介して人物の顔画像データを蓄積した顔データベースに接続され、
前記表示手段によって表示されたコンテンツ中の画像が拡大表示され、拡大表示された画像の中から、前記顔データベースに蓄積される顔画像データとの類似度が閾値以上の顔を検出する第２の検出手段を備えることを特徴とする請求項５に記載の携帯情報端末。
【請求項７】
ネットワークを介して配信されるコンテンツを表示させる表示ステップと、前記表示ステップによって表示されたコンテンツ中の文字のフォントサイズが閾値以上に拡大表示された場合に、拡大表示された前記文字を含むコンテンツ中の領域を示す情報を検出させる第１の検出ステップとを備えることを特徴とする携帯情報端末の嗜好情報処理プログラム。
【請求項８】
前記嗜好情報処理プログラムは、
さらに、前記表示ステップによって表示されたコンテンツ中の画像が拡大表示され、拡大表示された画像の中から、前記携帯情報端末とネットワークを介して接続される人物の顔画像データを蓄積した顔データベースに蓄積される顔画像データとの類似度が閾値以上の顔を検出させる第２の検出ステップを備えることを特徴とする請求項７に記載の携帯情報端末の嗜好情報処理プログラム。
【請求項９】
ネットワークを介して配信されるコンテンツを表示させる表示ステップと、前記表示ステップによって表示されたコンテンツ中の文字のフォントサイズが閾値以上に拡大表示された場合に、拡大表示された前記文字を含むコンテンツ中の領域を示す情報を検出させる第１の検出ステップとを備えることを特徴とする携帯情報端末の嗜好情報処理方法。
【請求項１０】
前記嗜好情報処理方法は、
さらに、前記表示ステップによって表示されたコンテンツ中の画像が拡大表示され、拡大表示された画像の中から、前記携帯情報端末とネットワークを介して接続される人物の顔画像データを蓄積した顔データベースに蓄積される顔画像データとの類似度が閾値以上の顔を検出させる第２の検出ステップを備えることを特徴とする請求項９に記載の携帯情報端末の嗜好情報処理方法。
【発明の詳細な説明】
【技術分野】
【０００１】
本発明は、携帯情報端末に表示されるコンテンツから、ユーザーが関心を持っている可能性が高い内容を示す情報（ユーザーの嗜好情報）を取得する方法に関する。
【背景技術】
【０００２】
近年、新聞や雑誌といった既存の紙媒体のメディアのインターネットへの進出がめざましい。このことにより、ユーザーが、移動中等に、携帯情報端末上で電子新聞や電子雑誌などのコンテンツを閲覧するというライフスタイルが定着してきている。
【０００３】
一方、昨今は、ユーザーが閲覧したコンテンツの内容を解析した結果から、ユーザーの嗜好情報を取得し、個々のユーザーの嗜好に応じた、情報や商品の紹介をするような、きめ細かいマーケティングが可能となっている。
【０００４】
例えば、特許文献１には、ユーザーが閲覧しようとしたウェブページをテキストマイニングによる解析を行って、ユーザーが関心を持っている分野を示す情報（嗜好情報）を取得する方法が開示されている。
【０００５】
【特許文献１】特開２００８−２２５８７９号公報
【発明の開示】
【発明が解決しようとする課題】
【０００６】
ところで、上述の特許文献１に記載の方法では、表示されたウェブページ全体をテキストマイニングするため、解析の対象が複数の分野の記事が混在して表示されているような電子新聞や電子雑誌のコンテンツである場合に、ユーザーが関心を持っていない分野についてまで、誤ってユーザーが関心を持っていると判断される可能性がある。
【０００７】
ウェブページの場合には、トップの目次にそれぞれの記事にリンクが張られるような階層構造となっているため、表示されたリンク先のウェブページの全体をテキストマイニングしても、大きな問題はない。
【０００８】
しかしながら、携帯情報端末上で閲覧する電子新聞や電子雑誌のコンテンツは、あたかも紙媒体の新聞を読むようなインターフェースを提供しており、紙面（ページ）上に、様々な記事が混在しているため、ユーザーが関心を持っていない分野の記事が含まれている可能性がある。
【０００９】
このように、ユーザーが関心を持ってない分野について、誤ってユーザーが関心を持っていると判断されてしまった場合、誤ったユーザーの嗜好情報に基づいて、関心のない商品の案内のメールが送信されてくるといった、ユーザーにとって非常に煩わしい事態が生じることとなる。上述の特許文献１においては、そのような問題を一切考慮していない。
【００１０】
そこで、本発明は、携帯情報端末の画面上において、電子新聞や電子雑誌のコンテンツのような複数の記事が混在して表示されるようになっているコンテンツの中から、ユーザーが関心を持っている可能性が高い分野を示す情報を抽出することのできるシステムを提供することを目的とする。
【課題を解決するための手段】
【００１１】
本発明に係る第１の嗜好情報処理システムは、ネットワークを介してコンテンツを配信するサーバ装置と、前記ネットワークに接続される携帯情報端末とを有し、前記携帯情報端末は、前記サーバ装置から配信されるコンテンツを表示する表示手段と、前記表示手段によって表示されたコンテンツ中の文字のフォントサイズが、ユーザーの操作によって、閾値以上に拡大表示された場合に、拡大表示された前記文字を含む前記コンテンツ中の所定の領域を示す情報を検出する第１の検出手段と、前記領域を示す情報を前記サーバ装置に送信する第１の送信手段とを備え、前記サーバ装置は、前記領域を示す情報に基づいて、前記コンテンツ中の前記領域に含まれる情報から、前記ユーザーの嗜好を解析する解析手段と、前記ユーザーの嗜好を示す情報を蓄積する第１の蓄積手段とを備えることを特徴とする。
【００１２】
本発明に係る第２の嗜好情報処理システムは、さらに、ネットワークを介して人物の顔画像データを蓄積した顔データベースに接続され、前記携帯情報端末は、前記表示手段によって表示されたコンテンツ中の画像がユーザーの操作によって拡大表示され、拡大表示された画像の中から、前記顔データベースに蓄積されている顔画像データとの類似度が閾値以上となる顔を検出する第２の検出手段を備え、前記第２の検出手段によって検出された顔を示す情報を前記サーバ装置に送信する第２の送信手段を備え、前記サーバ装置は、前記顔を示す情報を蓄積する第２の蓄積手段と備えることを特徴とする。
【００１３】
本発明に係る第１の携帯情報端末は、ネットワークを介して配信されるコンテンツを表示する表示手段と、前記表示手段によって表示されたコンテンツ中の文字のフォントサイズが閾値以上に拡大表示された場合に、拡大表示された前記文字を含むコンテンツ中の領域を示す情報を検出する第１の検出手段とを備えることを特徴とする。
【００１４】
本発明に係る第２の携帯情報端末は、さらに、ネットワークを介して人物の顔画像データを蓄積した顔データベースに接続され、前記表示手段によって表示されたコンテンツ中の画像が拡大表示され、拡大表示された画像の中から、前記顔データベースに蓄積される顔画像データとの類似度が閾値以上の顔を検出する第２の検出手段を備えることを特徴とする。
【００１５】
本発明に係る第１の嗜好情報処理プログラムは、ネットワークを介して配信されるコンテンツを表示させる表示ステップと、前記表示ステップによって表示されたコンテンツ中の文字のフォントサイズが閾値以上に拡大表示された場合に、拡大表示された前記文字を含むコンテンツ中の領域を示す情報を検出させる第１の検出ステップとを備えることを特徴とする。
【００１６】
本発明に係る第２の嗜好情報処理プログラムは、さらに、前記表示ステップによって表示されたコンテンツ中の画像が拡大表示され、拡大表示された画像の中から、前記携帯情報端末とネットワークを介して接続される人物の顔画像データを蓄積した顔データベースに蓄積される顔画像データとの類似度が閾値以上の顔を検出させる第２の検出ステップを備えることを特徴とする。
【００１７】
本発明に係る第１の嗜好情報処理方法は、ネットワークを介して配信されるコンテンツを表示させる表示ステップと、前記表示ステップによって表示されたコンテンツ中の文字のフォントサイズが閾値以上に拡大表示された場合に、拡大表示された前記文字を含むコンテンツ中の領域を示す情報を検出させる第１の検出ステップとを備えることを特徴とする。
【００１８】
本発明に係る第２の嗜好情報処理方法は、さらに、前記表示ステップによって表示されたコンテンツ中の画像が拡大表示され、拡大表示された画像の中から、前記携帯情報端末とネットワークを介して接続される人物の顔画像データを蓄積した顔データベースに蓄積される顔画像データとの類似度が閾値以上の顔を検出させる第２の検出ステップを備えることを特徴とする。
【発明の効果】
【００１９】
本発明によれば、携帯情報端末の画面上において、電子新聞や電子雑誌のコンテンツのような複数の分野の記事が混在して表示されるようになっているコンテンツの中から、ユーザーが関心を持っている可能性が高い分野を抽出することのできるシステムを提供することができる。
【図面の簡単な説明】
【００２０】
【図１】第１の本発明の実施の形態のシステムを説明するためのブロック図である。
【図２】第１の本発明の実施の形態のシステムの動作を説明するためのフローチャートである。
【図３】第２の本発明の実施の形態のシステムを説明するためのブロック図である。
【図４】第２の本発明の実施の形態のシステムを説明するためのフローチャートである。
【図５】第１の本発明の実施の形態のシステムにおける表示されるコンテンツと記事が拡大された状態を示す一例である。
【図６】第２の本発明の実施の形態のシステムにおける表示されるコンテンツと画像が拡大された状態を示す一例である。
【図７】本発明の実施の形態のシステムにおけるユーザー嗜好情報のテーブルの一例である。
【発明を実施するための形態】
【００２１】
以下、図面を参照して本発明を実施するための最良の形態について説明する。図１は、第1の本発明の実施の形態のシステムを説明するためのブロック図である。
【００２２】
図１を参照すると、サーバ装置１０は、制御部２０と、記憶部３０とを有し、携帯情報端末４０とネットワーク１０００を介して接続されている。なお、ネットワーク１０００は、有線であっても、無線であっても良い。
【００２３】
また、携帯情報端末４０は、制御部５０と、操作部６０と、表示部７０と、記憶部８０とを有している。
【００２４】
まず、第1の本発明の実施の形態のシステムの概略を説明すると、携帯情報端末４０が有する表示部７０には、サーバ装置１０から送信されるコンテンツが表示されており、ユーザーが操作部６０を用いてコンテンツの拡大表示をし、表示部７０に表示される文字が閾値以上に拡大された場合に、拡大された当該文字が含まれている領域を示す情報をサーバ装置１０に送信し、該情報からユーザーの嗜好情報を解析するものである。以下、詳細に説明する。
【００２５】
制御部２０は、記録媒体に格納されたプログラムを実行することにより、コンテンツ配信手段２１と、嗜好解析手段２２とを論理的に備える。また、制御部５０は、記録媒体に格納されたプログラムを実行することにより、検出手段５１と、表示手段５２とを論理的に備える。なお、各手段の動作については後述する。
【００２６】
ここで、コンテンツ配信手段２１と、嗜好解析手段２２と、検出手段５１と、表示手段５２とは、それぞれ専用のハードウェアで構成されても良い。
【００２７】
記憶部３０は、携帯情報端末４０に対して配信されるコンテンツを蓄積するコンテンツ情報記憶部３１と、ユーザーの嗜好情報を蓄積するユーザー嗜好情報記憶部３２とを備えている。
【００２８】
操作部６０は、サーバ装置１０から送信され、表示部７０に表示されるコンテンツのスクロール表示・拡大表示等を可能にする操作用デバイスである。
【００２９】
表示部７０は、サーバ装置から配信されるコンテンツを表示する表示デバイスである。
【００３０】
次に、図２を参照して、第1の本発明の実施の形態の動作について説明する。図２は、第1の本発明の実施の形態の動作を説明するためのフローチャートである。
【００３１】
図２を参照すると、コンテンツ配信手段２１が、コンテンツ情報記憶部３１に格納されているコンテンツを、携帯情報端末４０に対して、ネットワーク１０００を介して、送信する（ステップＳ１００）。
【００３２】
ステップＳ１００で、コンテンツが配信されると、表示手段５２が、表示部７０に当該コンテンツを表示する（ステップＳ１０１）。
【００３３】
ここで、表示部７０に表示されているコンテンツは、図５（ａ）に示すようにコンテンツ全体である。図５（ａ）の状態では、各記事の見出し部分はユーザーが視認できるが、記事の本文は、見出し部分と比べて、相対的に文字が小さく、読むことができないものである。
【００３４】
表示部７０にコンテンツが表示されると、検出手段５１は、ユーザーによる操作部６０を用いたコンテンツの拡大表示の操作を検出する（ステップＳ１０２）。
【００３５】
ステップＳ１０２で、拡大表示の操作を検出すると（ステップＳ１０２／ＹＥＳ）、表示部７０上に表示されているコンテンツ中の記事の表示サイズが、閾値以上であるかを判定する（ステップＳ１０３）。
【００３６】
より具体的には、コンテンツ中の記事部分の文字のサイズを示す情報（例えば、フォントサイズを示す情報が挙げられるが、これに限定されない）が、閾値以上であるかを判定する。
【００３７】
図５（ｂ）は、記事が閾値以上に拡大されたときの例である。見出し部分だけでなく、記事部分の文字もユーザーによって視認できる状態にまで拡大されている。
【００３８】
ステップＳ１０３で、表示部７０に表示されているコンテンツ中の記事の表示サイズが、閾値以上であると判定された場合（ステップＳ１０３／ＹＥＳ）、検出手段５１は、表示されている記事の位置情報を検出する（ステップＳ１０４）。
【００３９】
ここで、記事の位置情報とは、ステップＳ１００で携帯情報端末４０に送信されるコンテンツ全体において、表示部７０に拡大表示されている記事の位置を示す情報である。例えば、コンテンツ中における、拡大表示されている記事部分の領域の座標を示す情報である。或いは、閾値以上のサイズであると判定された文字が表示されている位置の所定の範囲の領域の座標を示す情報であっても良い。
【００４０】
ステップＳ１０４で位置情報を検出すると、検出手段５１は、当該位置情報をサーバ装置１０に送信する（ステップＳ１０５）。このときに、携帯情報端末４０を使用しているユーザーを識別する情報も合わせて送信することにしても良い。
【００４１】
ステップＳ１０５で位置情報が送信されると、嗜好解析手段２２は、位置情報を基に、コンテンツ中の位置情報が示す領域に含まれている記事の内容についてテキストマイニングによって、当該領域内の記事の内容を示す嗜好情報を抽出する（ステップＳ１０６）。
【００４２】
ステップＳ１０６で嗜好情報を抽出すると、抽出された嗜好情報とユーザーを示す識別情報とを組み合わせて、ユーザーの嗜好情報として、ユーザー嗜好情報記憶部３２に蓄積する。
【００４３】
なお、位置情報に対応付けてジャンル情報をコンテンツ情報記憶部３１に記憶し、記録しても良い。この場合、ステップＳ１０５では、対応付けられるジャンル情報を抽出し、ユーザーを示す識別情報と組み合わせて、ユーザーの嗜好情報として、ユーザー嗜好情報記憶部３２に蓄積すれば良い。
【００４４】
このようにして、各ユーザーが関心を持って、拡大して読もうとした記事を解析することで、より精度の高いユーザー嗜好情報の蓄積が可能となる。
【００４５】
なお、本発明の実施の形態においては、嗜好解析手段２２をサーバ装置１０にて備えることとしているが、別の装置に備えても良いし、携帯情報端末４０に備えても良い。
【００４６】
次に、第２の本発明の実施の形態について説明する。第２の本発明の実施の形態では、テキストマイニングではなく、顔認識技術を活用して、ユーザーが関心を持っている人物を示す情報を嗜好情報として蓄積する。図３は、第２の本発明の実施の形態のシステムを説明するためのブロック図である。
【００４７】
図３を参照すると、サーバ装置１１０は、制御部１２０と、記憶部１３０とを有し、携帯情報端末１４０とネットワーク２０００を介して接続されている。なお、ネットワーク２０００は、有線であっても、無線であっても良い。
【００４８】
また、携帯情報端末１４０は、制御部１５０と、操作部１６０と、表示部１７０と、記憶部１８０とを有している。
【００４９】
まず、第２の本発明の実施の形態のシステムの概略を説明すると、携帯情報端末１４０が有する表示部１７０には、サーバ装置１１０から送信されるコンテンツが表示されており、ユーザーが操作部１６０を用いてコンテンツの拡大表示をし、表示部１７０に表示される画像から人物の顔の画像情報とその人物を示す情報を蓄積した顔データベース１９０とマッチングを行い、顔データベース１９０に蓄積されている人物の顔の画像に一致する顔が、表示部１７０に表示される画像中に含まれている場合に、当該人物を示す情報をサーバ装置１１０に送信し、当該情報からユーザーの嗜好情報を解析するものである。以下、詳細に説明する。
【００５０】
制御部１２０は、記録媒体に格納されたプログラムを実行することにより、コンテンツ配信手段１２１と、嗜好解析手段１２２とを論理的に備える。また、制御部１５０は、記録媒体に格納されたプログラムを実行することにより、検出手段１５１と、表示手段１５２とを論理的に備える。なお、各手段の動作については後述する。
【００５１】
ここで、コンテンツ配信手段１２１と、嗜好解析手段１２２と、検出手段１５１と、表示手段１５２とは、それぞれ専用のハードウェアで構成されても良い。
【００５２】
記憶部１３０は、携帯情報端末１４０に対して配信されるコンテンツを蓄積するコンテンツ情報記憶部１３１と、ユーザーの嗜好情報を蓄積するユーザー嗜好情報記憶部１３２とを備えている。
【００５３】
操作部１６０は、サーバ装置１１０から送信され、表示部１７０に表示されるコンテンツのスクロール表示・拡大表示等を可能にする操作用デバイスである。
【００５４】
表示部１７０は、サーバ装置から配信されるコンテンツを表示する表示デバイスである。
【００５５】
次に、図４を参照して、第２の本発明の実施の形態の動作について説明する。図４は、第２の本発明の実施の形態の動作を説明するためのフローチャートである。
【００５６】
図４を参照すると、コンテンツ配信手段１２１が、コンテンツ情報記憶部１３１に格納されているコンテンツを、携帯情報端末１４０に対して、ネットワーク２０００を介して、送信する（ステップＴ１００）。
【００５７】
ステップＴ１００で、コンテンツが配信されると、表示手段１５２が、表示部１７０に当該コンテンツを表示する（ステップＴ１０１）。
【００５８】
ここで、表示部１７０に表示されているコンテンツは、図６（ａ）に示すようにコンテンツ全体である。図６（ａ）の状態では、コンテンツの画像部分に表示されている人物の顔が誰の顔であるかは、ユーザーは認識できない。
【００５９】
表示部１７０にコンテンツが表示されると、検出手段１５１は、ユーザーによる操作部１６０を用いたコンテンツの拡大表示の操作を検出する（ステップＴ１０２）。
【００６０】
ステップＴ１０２で、拡大表示の操作を検出すると（ステップＴ１０２／ＹＥＳ）、表示部１７０上に表示されているコンテンツ中の画像の中に、顔データベース１９０に蓄積されている複数の人物の顔の画像の中で、閾値以上に類似する顔が存在するかどうかを判定する（ステップＴ１０３）。なお、画像は、動画であっても、静止画であっても良い。
【００６１】
図６（ｂ）は、コンテンツの画像部分が拡大されたときの例である。ユーザーが、画像部分に表示されている人物の顔を認識できる状態にまで拡大されている。
【００６２】
ステップＴ１０３で、表示部１７０に表示されているコンテンツ中の画像に閾値以上に類似する顔が存在すると判定された場合（ステップＴ１０３／ＹＥＳ）、検出手段１５１は、検出された人物を示す人物情報を、顔データベース１９０から検出する（ステップＴ１０４）。
【００６３】
ここで、人物情報とは、ステップＴ１０３の処理において、類似すると判定された顔データベース１９０に蓄積された顔の人物を示す情報で、例えば、その人物の名前、所属組織などを示す情報である。
【００６４】
ステップＴ１０４で人物情報を検出すると、検出手段１５１は、当該人物情報をサーバ装置１１０に送信する（ステップＴ１０５）。このときに、携帯情報端末１４０を使用しているユーザーを識別する情報も合わせて送信することにしても良い。
【００６５】
ステップＴ１０５で人物情報が送信されると、嗜好解析手段１２２は、人物情報とユーザーを示す識別情報とを組み合わせて、ユーザーの嗜好情報として、ユーザー嗜好情報記憶部１３２に蓄積する（ステップＴ１０６）。
【００６６】
このようにして、各ユーザーが関心を持って、拡大して閲覧した画像を解析することで、より精度の高いユーザー嗜好情報の蓄積が可能となる。
【００６７】
なお、本発明の実施の形態においては、嗜好解析手段１２２をサーバ装置１１０にて備えることとしているが、別の装置に備えても良いし、携帯情報端末１４０に備えても良い。さらに、顔データベース１９０を携帯情報端末１４０に備えても良い。
【００６８】
また、第１の本発明の実施の形態と、第２の本発明の実施の形態とを組み合わせても良い。ユーザー嗜好情報記憶部１３２（またはユーザー嗜好情報記憶部３２であっても良い）に蓄積される情報（テーブル）の一例を、図７に示す。
【００６９】
さらに、本発明の実施の形態では、記事（テキスト）や顔（画像）からユーザーの嗜好を示す情報を取得する実施例に基づいて具体的に説明したが、これに限定されるものではない。
【００７０】
つまり、ユーザーの記事（テキストや文字）や顔（画像）の嗜好を特定する方法に限定されるものではなく、ユーザーによる画面に表示されている情報の拡大を行う操作と、拡大表示された情報に関連付けられたユーザーの嗜好を示す情報とを結びつけることができれば、様々な領域に適用可能である。
【符号の説明】
【００７１】
１０  サーバ装置
２０  制御部
２１  コンテンツ配信手段
２２  嗜好解析手段
３０  記憶部
３１  コンテンツ情報記憶部
３２  ユーザー嗜好情報記憶部
４０  携帯情報端末
５０  制御部
５１  検出手段
５２  表示手段
６０  操作部
７０  表示部
８０  記憶部
１１０  サーバ装置
１２０  制御部
１２１  コンテンツ配信手段
１２２  嗜好解析手段
１３０  記憶部
１３１  コンテンツ情報記憶部
１３２  ユーザー嗜好情報記憶部
１４０  携帯情報端末
１５０  制御部
１５１  検出手段
１５２  表示手段
１６０  操作部
１７０  表示部
１８０  記憶部
１９０  顔データベース
１０００  ネットワーク
２０００  ネットワーク
【図１】
2010237942.tif 000003
【図２】
2010237942.tif 000004
【図３】
2010237942.tif 000005
【図４】
2010237942.tif 000006
【図５】
2010237942.tif 000007
【図６】
2010237942.tif 000008
【図７】
2010237942.tif 000009